(57)【要約】【課題】光ディスクが存在しない状態でクランパーがターンテーブルに引き寄せられてチャック動作したときの衝撃音を、衝撃緩和部材等を追加して組み込むことなく、クランパーの構造を若干変更するだけで確実に低減できる光ディスク装置を提供する。【解決手段】光ディスクがない状態でマグネット３ａの磁力によりクランパー３がターンテーブル４に引き寄せられてチャック動作したときにターンテーブル４中央の円形凸部４ａのテーパー部１４ｄに衝撃緩和用接触部として下端部３ｈが線接触するテーパー部３ｅを、クランパー３の凹部３ｂの内面に形成した構成の光ディスク装置とする。【選択図】図５
2007294042.tif 000002
【特許請求の範囲】
【請求項１】
上面にマグネットを取付けた合成樹脂製のクランパーと、中央の円形凸部の上面に金属板を取付けた合成樹脂製のターンテーブルとを備え、クランパーとターンテーブルの間に搬送された光ディスクの中央開口にターンテーブルの円形凸部を嵌め込むと共に、金属板に作用するマグネットの磁力によりクランパーをターンテーブルに引き寄せて、クランパーとターンテーブルとで光ディスクの中央開口の周縁部を上下から挟持させるようにした光ディスク装置において、
上記光ディスクが存在しない状態で上記マグネットの磁力により上記クランパーが上記ターンテーブルに引き寄せられたときに上記円形凸部の上端外周のテーパー部に衝撃緩和用接触部として下端部が線接触するテーパー部を、上記円形凸部の上端部が嵌まる上記クランパーの凹部の内面に形成したことを特徴とする光ディスク装置。
【請求項２】
上面にマグネットを取付けた合成樹脂製のクランパーと、中央の円形凸部の上面に金属板を取付けた合成樹脂製のターンテーブルとを備え、クランパーとターンテーブルの間に搬送された光ディスクの中央開口にターンテーブルの円形凸部を嵌め込むと共に、金属板に作用するマグネットの磁力によりクランパーをターンテーブルに引き寄せて、クランパーとターンテーブルとで光ディスクの中央開口の周縁部を上下から挟持させるようにした光ディスク装置において、
上記光ディスクが存在しない状態で上記マグネットの磁力により上記クランパーが上記ターンテーブルに引き寄せられたときに、上記ターンテーブルの円形凸部の金属板以外の部分に接触する衝撃緩和用接触部を上記クランパーに形成したことを特徴とする光ディスク装置。
【請求項３】
上記衝撃緩和用接触部が上記ターンテーブルの円形凸部の上端外周のテーパー部に接触するものであることを特徴とする請求項２に記載の光ディスク装置。
【発明の詳細な説明】
【技術分野】
【０００１】
本発明は、ＣＤやＤＶＤなどの光ディスクに記録・再生を行う光ディスク装置に関し、特に、光ディスクのチャック部分を改良した光ディスク装置に関する。
【背景技術】
【０００２】
従来の光ディスク装置における光ディスクのチャック部分は、図６にその一例を示すように、上面にマグネット３ａを取付けた合成樹脂製のクランパー３と、中央の円形凸部４ａの上面に金属板４ｂを取付けた合成樹脂製のターンテーブル４を備えており、ターンテーブル４はスピンドルモーター５の軸５ａに固着されて回転するようになっている。そして、クランパー３の下面には、ターンテーブル４の円形凸部４ａの上端部が嵌まる凹部３ｂが形成されており、また、上面のマグネット３ａの上にはヨーク３ｃが取付けられている。
【０００３】
上記のクランパー３は、その上端フランジ部３ｄを光ディスク装置のメインシャーシ１に設けられたホルダー部１ａの下端の内鍔１ｂに係止させることによって、脱落しないようにホルダー部１ａに保持されており、また、上記のターンテーブル４とスピンドルモーター５は、メインシャーシ１に上下揺動自在に取付けられたトラバースシャーシ２に搭載されている。このトラバースシャーシ２は、光ディスクを搬送するトレイ（不図示）が引き出されたときには、図示のように下降した状態にあるため、クランパー３とターンテーブル４の間には光ディスクを搬送する隙間が存在している。
【０００４】
そして、この状態から光ディスクをトレイに載せてクランパー３とターンテーブル４の隙間へ搬送すると、トラバースシャーシ２が上昇してターンテーブル４の円形凸部４ａが光ディスクの中央開口に嵌まり込むと共に、円形凸部４ａの上面の金属板４ｂに作用するマグネット３ａの磁力によりクランパー３がターンテーブル４に引き寄せられて、光ディスクの中央開口の周縁部がクランパー３とターンテーブル４とで上下から挟持されるようになっている。
【０００５】
一方、ターンテーブル中央の厚肉部の上面に永久磁石を埋設し、ディスク押さえ部材の上面にヨークを取付け、これらターンテーブルとディスク押さえ部材の干渉を防止する角面取りを互いに非接触状態となるようにターンテーブルの厚肉部とディスク押さえ部材の角部に形成し、ディスク押さえ部材がターンテーブルに引き寄せられたときにターンテーブルの厚肉部の上面に弾接する弾性当接部材をディスク押さえ部材に設けた記録媒体挟持構造が知られている（特許文献１）。
【０００６】
また、ターンテーブルにセンターリング突部を付勢バネで上方へ付勢して取付け、ディスクがないときにセンターリング突部をチャッキングプーリーに弾接させるようにしたディスクチャッキング機構も知られている（特許文献２）。
【特許文献１】特開２００５−５６４８３公報
【特許文献２】特開２００５−４８０３公報
【発明の開示】
【発明が解決しようとする課題】
【０００７】
しかしながら、図６に示す光ディスク装置の光ディスクチャック部分は、光ディスクを載せないでトレイを格納すると、図７に示すように、トラバースシャーシ２と共にターンテーブル４及びスピンドルモーターが上昇し、光ディスクが存在しない状態でクランパー３がマグネット３ａの磁力でターンテーブル４に引き寄せられてチャック動作し、そのときにクランパー３の凹部３ｂの下面がターンテーブル４の円形凸部４ａの金属板４に当るため、その衝撃がマグネット３ａやヨーク３ｃに直接伝達されて、不快に感じる恐れのある高い金属質の衝撃音が発生するという問題があった。
【０００８】
これに対し、特許文献１の記録媒体挟持構造は、ディスク押さえ部材がターンテーブルに引き寄せられたときに、ターンテーブル中央の厚肉部の上面が弾性当接部材に当接するため、衝撃音の低減が可能となる。けれども、弾性当接部材として、ディスク押さえ部材の中央環状壁から内側へ突出する複数のアーム状の基部とその先端の屈曲部とからなるものをディスク押さえ部材に設けるため、ディスク押さえ部材の形状が複雑になり、このような複雑なディスク押さえ部材を樹脂で一体成形しようとすれば、新しい金型が必要になったり金型の大幅な変更が必要になったりするため、製造コストがかなり増大するという問題がある。かといって、弾性当接部材を別個に製作してディスク押さえ部材に組み込むようにしても、弾性当接部材の製作費用がかさみ、その組込作業が面倒で手間がかかるため、やはり製造コストが大幅に増大するという問題がある。
【０００９】
また、特許文献２のディスクチャッキング機構も、ターンテーブルにセンターリング突部を付勢バネで上方へ付勢して取付けたものであるため、構造が複雑で製造コストが増大するという問題があり、しかも、このような衝撃緩和手段は、マグネットの磁力でクランパーをターンテーブルに引き寄せて光ディスクをチャックするものには採用困難である。
【００１０】
本発明は上記事情の下になされたもので、光ディスクが存在しない状態でクランパーがターンテーブルに引き寄せられてチャック動作したときの衝撃音を、衝撃緩和部材等を追加して組み込むことなく、クランパーの構造を若干変更するだけで確実に低減できる光ディスク装置を提供することを解決課題としている。
【課題を解決するための手段】
【００１１】
上記課題を解決するため、本発明の光ディスク装置は、上面にマグネットを取付けた合成樹脂製のクランパーと、中央の円形凸部の上面に金属板を取付けた合成樹脂製のターンテーブルとを備え、クランパーとターンテーブルの間に搬送された光ディスクの中央開口にターンテーブルの円形凸部を嵌め込むと共に、金属板に作用するマグネットの磁力によりクランパーをターンテーブルに引き寄せて、クランパーとターンテーブルとで光ディスクの中央開口の周縁部を上下から挟持させるようにした光ディスク装置において、光ディスクがない状態でマグネットの磁力によりクランパーがターンテーブルに引き寄せられたときに、ターンテーブルの円形凸部の金属板以外の部分に接触する衝撃緩和用接触部をクランパーに形成したことを特徴とするものである。
【００１２】
本発明の光ディスク装置においては、衝撃緩和用接触部がターンテーブルの円形凸部の上端外周のテーパー部に接触するものであることが好ましい。
【００１３】
そして、本発明の更に好ましい光ディスク装置は、上面にマグネットを取付けた合成樹脂製のクランパーと、中央の円形凸部の上面に金属板を取付けた合成樹脂製のターンテーブルとを備え、クランパーとターンテーブルの間に搬送された光ディスクの中央開口にターンテーブルの円形凸部を嵌め込むと共に、金属板に作用するマグネットの磁力によりクランパーをターンテーブルに引き寄せて、クランパーとターンテーブルとで光ディスクの中央開口の周縁部を上下から挟持させるようにした光ディスク装置において、光ディスクがない状態でマグネットの磁力によりクランパーがターンテーブルに引き寄せられたときに上記円形凸部の上端外周のテーパー部に衝撃緩和用接触部として下端部が線接触するテーパー部を、上記円形凸部の上端部が嵌まるクランパーの凹部の内面に形成したことを特徴とするものである。
【発明の効果】
【００１４】
本発明の光ディスク装置によれば、光ディスクがない状態でマグネットの磁力によりクランパーがターンテーブルに引き寄せられてチャック動作したときに、クランパーに形成された衝撃緩和用接触部がターンテーブルの円形凸部の金属板以外の部分に接触してチャック動作時の衝撃を分散、緩和するため、衝撃音を低減することができる。また、衝撃緩和用接触部は合成樹脂製のクランパーに形成された合成樹脂の接触部であり、これが接触する相手も合成樹脂製のターンテーブルの金属板以外の合成樹脂部分であるため、衝撃音の音質がマイルドで低くなり、従来の高い金属質の衝撃音のように不快に感じる恐れをなくすことができる。しかも、クランパーの成形金型を少し変更するだけで衝撃緩和用接触部を形成できるため、製造コストの増加は僅かであり、経済的に有利である。
【００１５】
そして、クランパーに形成された衝撃緩和用接触部がターンテーブルの円形凸部の上端外周のテーパー部に接触するものである場合は、衝撃緩和用接触部が該テーパー部に対して直角に接触せず、テーパー部の傾斜角に相当する角度で斜めからテーパー部に接触することになるので、衝撃の緩和作用が増大し、衝撃音を一層低減することが可能となる。
【００１６】
また、更に好ましい光ディスク装置のように、クランパーの凹部の内面に、ターンテーブルの円形凸部の上端外周のテーパー部に衝撃緩和用接触部として下端部が線接触するテーパー部を形成したものは、線接触によって優れた衝撃緩和作用が発揮されるため、衝撃音低減効果が顕著になり、しかも、クランパーの成形金型の変更が極く僅かで済むため、製造コストの増加が殆どなく、経済的に頗る有利である。
【発明を実施するための最良の形態】
【００１７】
以下、図面を参照して本発明の具体的な実施形態を詳述する。
【００１８】
図１は本発明の一実施形態に係る光ディスク装置の斜視図、図２〜図４は同光ディスク装置の光ディスクチャック部分の断面図であって、図２は非チャック状態を、図３は光ディスクが搬送されたときのチャック状態を、図４は光ディスクがない場合のチャック状態をそれぞれ示している。また、図５は図４の一部を拡大した拡大部分断面図である。
【００１９】
この光ディスク装置は、図１に示すように、合成樹脂製のメインシャーシ１の内側に、合成樹脂製のトラバースシャーシ２をその後端部において上下揺動可能に取付けたものであって、このトラバースシャーシ２を上下に揺動させるカムスライダー６がメインシャーシ１の前枠部の内側に取付けられている。
【００２０】
メインシャーシ１の左右の側枠部１ｃ，１ｃの上端間にはブリッジ部１ｄが一体に形成されており、このブリッジ部１ｄの中央には円環状のホルダー部１ａが形成されている。そして、このホルダー部１ａの内側には、図１、図２に示すように、合成樹脂製のクランパー３がその上端フランジ部３ｄをホルダー部下端の内鍔１ｂに係止させた状態で収納保持されている。
【００２１】
図１、図２に示すように、トラバースシャーシ２の前端部にはスピンドルモータ５が搭載されており、このスピンドルモータ５の軸５ａに合成樹脂製のターンテーブル４が固着されている。また、このトラバースシャーシ２には、光ピックアップ７が２本のガイド軸８，８（主軸と副軸）に沿ってターンテーブル４に対し接近・離反可能に搭載されている。
【００２２】
そして、メインシャーシ１の内側には、光ディスクを載せるトレイ９がターンテーブル４とクランパー３との間に配置されて、前後方向にスライド可能に取付けられており、更に、カムスライダー６、光ピックアップ７、トレイ９を作動させる駆動モータ（不図示）と駆動力伝達歯車機構（不図示）が、メインシャーシ１とトラバースシャーシ２に設けられている。
【００２３】
この光ディスク装置のターンテーブル４は、従来の光ディスク装置のターンテーブル４と同様の合成樹脂製の円盤状のテーブルであって、図２に示すように、このターンテーブル４の中央には円形凸部４ａが形成されており、外周部には光ディスクの中央開口の周縁部を支持する環状支持部４ｆが形成されている。そして、この円形凸部４ａの上面中心部には、チャック動作時にクランパー３の下面中心部のモータ軸挿入筒３ｋが嵌まり込む凹穴４ｃが形成されており、この凹穴４ｃの周囲の上面にはドーナツ板状の金属板４ｂが取付けられている。また、円形凸部４ａの上端外周には、テーパー角（傾斜角）の大きいテーパー部４ｄが形成されており、このテーパー部４ｄの下側にはテーパー角の小さいテーパー部４ｅが連続して形成されている。これらのテーパー部４ｄ，４ｅは、円形凸部４ａを光ディスクの中央開口に嵌め込み易くするために形成されたものである。このターンテーブル４は、中心のモータ軸貫通孔４ｇにスピンドルモータの軸５ａを貫通させて固定することにより、スピンドルモータ５に一体的に取付けられて回転されるようになっている。
【００２４】
この光ディスク装置のクランパー３は、その凹部３ｂの内面に形成されるテーパー部３ｅが異なっている点を除いて、前述した従来の光ディスク装置のクランパー３と同様に構成されている。即ち、このクランパー３の中央には、チャック動作時にターンテーブル４の円形凸部４ａの上端部が嵌まる凹部３ｂ（上側に凹んだ凹部）が形成されており、この凹部３ｂの下面中心部には、チャック動作時にスピンドルモータ５の軸５ａが挿入されるモータ軸挿入筒３ｋが下向きに突設されている。そして、この凹部３ｂの上面中心部には軸筒部３ｆが上向きに突設されており、この凹部３ｂの上面の軸筒部３ｆの周囲には、ドーナツ形のマグネット３ａとヨーク３ｃが重ねて取付けられている。また、このクランパー３の下面外周部には、光ディスクの中央開口の周縁部を押さえる環状押さえ部３ｊが形成されている。このクランパー３は、その環状周壁部３ｇの上端フランジ部３ｄをホルダー部１ａの下端内鍔１ｂに係止させることによって、脱落しないようにホルダー部１ａに保持されている。
【００２５】
このクランパー３の凹部３ｂの内面に形成されたテーパー部３ｅは、図４，図５に示すように、光ディスクが存在しない状態でターンテーブル４の金属板４ｂに作用するマグネット３ａの磁力によりクランパー３がターンテーブル４に引き寄せられてチャック動作したとき、該テーパー部３ｅの下端部３ｈ（下端エッジ部）が衝撃緩和用接触部としてターンテーブル４の円形突起４ａのテーパー部４ｄに線接触するように、テーパー角（傾斜角）を従来より小さくして形成されたものである。即ち、図７に示すように、従来のクランパー３の凹部３ｂの内面に形成されたテーパー部３ｉのテーパー角は、ターンテーブル４の円形凸部４ａのテーパー部４ｄのテーパー角と実質的に同一であるため、光ディスクが存在しない状態でチャック動作したときに、円形凸部４ａの上面が凹部３ｂの下面に接触しても、双方のテーパー部３ｉ，４ｄは小さな隙間を残して接触しないものであるが、本発明の光ディスク装置のクランパー３は、図４，図５に示すように、その凹部３ｂの内面のテーパー部３ｅのテーパー角を、ターンテーブル４の円形凸部４ａのテーパー部４ｄのテーパー角より小さくしたため、該テーパー部３ｅの下端部３ｈ（下端エッジ部）がターンテーブル４の円形凸部４ａのテーパー部４ｄに線接触するのである。
【００２６】
上記のように、光ディスクが存在しない状態でチャック動作したときにクランパー３のテーパー部３ｅの下端部３ｈがターンテーブル４のテーパー部４ｄに線接触すると、前述したように、チャック動作時に優れた衝撃分散緩和作用が発揮されるため、顕著な衝撃音低減効果を発揮することができる。しかも、互いに接触するクランパー３のテーパー部３ｅの下端部３ｈとターンテーブル４のテーパー部４ｄは合成樹脂からなる部分であるから、衝撃音の音質がマイルドで低くなり、従来の高い金属質の衝撃音のように不快に感じる恐れを解消することができる。また、クランパー３の凹部３ｂ内面のテーパー部３ｅは、従来のクランパー成形金型の該凹部内面成形用の金型面を少し深く切削加工するだけで成形でき、このように金型の変更が極く僅かで済むため、製造コストの実質的な増加を抑えることもできる。
【００２７】
以上のような構成の光ディスク措置は、図１に示すようにトレイ９が引き出されたときには、図２に示すように、トラバースシャーシ２が下降し、クランパー３とターンテーブル４が離反して非チャック状態にある。この状態から、トレイ９に光ディスクを載せてクランパー３とターンテーブル４の間に搬送すると、図３に示すように、トラバースシャーシ２が上昇してターンテーブル４の円形凸部４ａが光ディスク１０の中央開口１０ａに下方から嵌め込まれ、光ディスク１０がセンタリングされる。そして、クランパー３がターンテーブル４の金属板４ｂに作用するマグネット３ａの磁力によってターンテーブル４に引き寄せられ、光ディスク１０の中央開口１０ａの周縁部１０ｂが、クランパー３の環状押さえ部３ｊとターンテーブル４の環状支持部４ｆによって上下から挟持される。このように光ディスク１０がチャックされた状態では、図３に示すように、ターンテーブル４の円形凸部４ａの上端部がクランパー３の凹部３ｂに嵌まると共に、スピンドルモータ５の軸５ａがクランパー３の中心部のモータ軸挿入筒３ｅに挿入されており、また、クランパー３の上端フランジ部３ｄがホルダー部１ａの下端内鍔１ｂから少し浮上している。
【００２８】
上記のように光ディスク１０がチャックされると、スピンドルモータ５が作動してターンテーブル４、光ディスク１０、クランパー３が回転し、光ピックアップ７がガイド軸８，８に沿ってターンテーブル４の方へ移動しながら、レーザービームを光ディスク１０に照射して、記録・再生が行われる。
【００２９】
記録・再生が終わると、トラバースシャーシ２が下降してクランパー３とターンテーブル４が分離し、光ディスク１０はトレイ９と共に引き出される。そして、光ディスク１０を取り出した空のトレイ９を格納すると、図４，図５に示すように、光ディスクが存在しない状態でトラバースシャーシ２が上昇してチャック動作が行われるが、そのとき、前述したようにクランパー３の凹部３ｂ内面のテーパー部３ｅの下端部３ｈがターンテーブル４の円形凸部４ａのテーパー部４ｄに接触して衝撃が分散、緩和されるため、衝撃音が低減され、音質もマイルドで低くなる。従って、衝撃音によって不快感を受けることはなくなる。
【００３０】
以上、代表的な実施形態を挙げて本発明の光ディスク装置を説明したが、本発明はこの実施形態に限定されるものではなく、例えば衝撃緩和用接触部として、ターンテーブル４の金属板４ｂ以外の樹脂部分に接触する突起などをクランパー３に設けるなど、種々の設計変更を許容し得るものである。
【図面の簡単な説明】
【００３１】
【図１】本発明の一実施形態に係る光ディスク装置の斜視図である。
【図２】同光ディスク装置の光ディスクチャック部分の断面図であって、非チャック状態を示すものである。
【図３】同光ディスク装置の光ディスクチャック部分の断面図であって、光ディスクが搬送されたときのチャック状態を示すものである。
【図４】同光ディスク装置の光ディスクチャック部分の断面図であって、光ディスクがない場合のチャック状態を示すものである。
【図５】図４の一部を拡大した拡大部分断面図である。
【図６】従来の光ディスク装置の光ディスクチャック部分の断面図であって、非チャック状態を示すものである。
【図７】従来の光ディスク装置の光ディスクチャック部分の断面図であって、光ディスクがない場合のチャック状態を示すものである。
【符号の説明】
【００３２】
１    メインシャーシ
２    トラバースシャーシ
３    クランパー
３ａ  マグネット
３ｂ  クランパーの凹部
３ｃ  ヨーク
３ｄ  クランパーの上端フランジ部
３ｅ  クランパーの凹部内面のテーパー部
３ｈ  クランパーの凹部内面のテーパー部の下端部
４    ターンテーブル
４ａ  ターンテーブルの円形凸部
４ｂ  金属板
４ｄ  ターンテーブルの円形凸部の上端外周のテーパー部
５    スピンドルモータ
５ａ  スピンドルモータの軸
６    カムスライダー
７    光ピックアップ
９    トレイ
１０  光ディスク
１０ａ  光ディスクの中央開口
１０ｂ  光ディスクの中央開口の周縁部
【図１】
2007294042.tif 000003
【図２】
2007294042.tif 000004
【図３】
2007294042.tif 000005
【図４】
2007294042.tif 000006
【図５】
2007294042.tif 000007
【図６】
2007294042.tif 000008
【図７】
2007294042.tif 000009